(57)【特許請求の範囲】
【請求項１】
水栓および洗面ボールを備えた洗面カウンターと共に設置されるミラーキャビネットであって、
鏡と、
前記鏡の両側に配される金属製の第一基体および第二基体と、
前記第一基体から第二基体にわたってその上方に配置される照明器具と、
前記照明器具の基体のうちランプが配置される側の内面に取り付けられる取付部と、前記照明器具の基体の外部まで延伸される延伸部と、前記照明器具の外部に露出した鉤部とを備え、前記延伸部は平板状であって前記照明器具の基体と該照明器具の前面に取り付けられた照明カバーとの間に挿通されたフックと、
前記フックに吊下される線材からなる枠体と、前記枠体に取り付けられた収納トレイとを備えたことを特徴とするラックとを備え、
前記ラックは、前記第一基体または第二基体の前面側に配置したことを特徴とするミラーキャビネット。
【請求項２】
前記収納トレイは重力を利用して前記枠体に着脱自在に掛止されることにより取り付けられていることを特徴とする請求項１に記載のミラーキャビネット。
【請求項３】
前記枠体に取り付けられ該枠体と前記収納トレイとの間に介在する緩衝部材を備えたことを特徴とする請求項１または２に記載のミラーキャビネット。
【発明の詳細な説明】
【技術分野】
【０００１】
本発明は、洗面カウンターと共に設置されるミラーキャビネットに適したフック、ラック、およびこれらを備えたミラーキャビネットに関するものである。
【背景技術】
【０００２】
従来から、浴室に隣接して設けられる脱衣所などには、洗面化粧台が設置されている。洗面化粧台は、大別すれば洗面カウンターとミラーキャビネットとから構成される。洗面カウンターは、基本要素として湯水を供給する水栓と、排水口を備えた洗面ボールとを備えている。設置される際、水栓には給水管が接続され、排水口には排水管が接続される。
【０００３】
また洗面カウンターの下部には、引き出しや開き戸などの収納部が設けられる場合が多い。洗面カウンターの正面には、事実上の必需品として鏡が配置されている。鏡は建物の屋内の壁面に直接取り付けられている場合もあるが、照明や収納等を備えた基体に取り付けられている場合が多い。本件出願では、鏡と基体とを含んだユニットをミラーキャビネットと称し、ミラーキャビネットと洗面カウンターとを含んだユニットを洗面化粧台と称することとする。
【０００４】
ミラーキャビネットの基体は、根本的には鏡の支持体である。しかし基体に設けられた鏡の周囲には、蛍光灯などの照明器具、これを操作するためのスイッチ、ドライヤーなどに電力供給するためのコンセントなどを設けている。また石けんや歯ブラシ、化粧品などを載置するための棚や収納部も設けられる。これらのことから、基体はある程度複雑な凹凸形状をなしている。従来の基体は主として合成樹脂材料からなり、真空成型にて製造されている場合が多い（例えば特許文献１）。
【特許文献１】特開平０５−１６１５５７号公報
【発明の開示】
【発明が解決しようとする課題】
【０００５】
合成樹脂材料を用いた基体は、軽量であること、及び比較的安価であるという利点はある。しかし樹脂材料は、経年劣化により変色が生じやすい。特に化粧品や整髪料などの化学薬品が浸食して部分的な変色を生じる場合があり、耐薬品性にも問題がある。また汚れが付着した場合に、樹脂材料は表面に微細な凹凸があるため拭き取りにくく、場合によっては変色してしまうおそれもある。さらに真空成型をするために肉薄になりがちであり、強度を向上させることが難しい。
【０００６】
そこで基体を金属にて形成することにより、強度、耐薬品性および清掃性を向上させる技術が考えられる。ただし、金属は大きくなると曲げ加工が困難である、重量が大きくなるなどの問題がある。また金属を用いて基体を構成した場合、棚を金属で構成すると継ぎ目が目立ってしまうという問題がある。かといって棚を樹脂部材で構成すると、基体の取付部分の金属にゆがみが生じやすく、かつ光の反射によってゆがみが目立ってしまうという問題がある。
【０００７】
そこで、本発明は、上記したミラーキャビネットが有する課題に鑑み、剛性、耐薬品性および清掃性を有する金属を利用しつつ、金属の基体にゆがみを生じることのないフック、ラック、およびミラーキャビネットを提供することを目的としている。
【課題を解決するための手段】
【０００８】
上述の課題を解決するために、本発明の代表的な構成は、水栓および洗面ボールを備えた洗面カウンターと共に設置されるミラーキャビネットであって、鏡と、前記鏡の両側に配される金属製の第一基体および第二基体と、前記第一基体から第二基体にわたってその上方に配置される照明器具と、前記照明器具の基体のうちランプが配置される側の内面に取り付けられる取付部と、前記照明器具の基体の外部まで延伸される延伸部と、前記照明器具の外部に露出した鉤部とを備え、前記延伸部は平板状であって前記照明器具の基体と該照明器具の前面に取り付けられた照明カバーとの間に挿通されたフックと、前記フックに吊下される線材からなる枠体と、前記枠体に取り付けられた収納トレイとを備えたことを特徴とするラックとを備え、前記ラックは、前記第一基体または第二基体の前面側に配置したことを特徴とする。
【０００９】
上記構成によれば、フックの取付部は外部に露出せず、鉤部のみを外部に露出させることができる。したがって後付けのフックであるにもかかわらず、極めて目立たず、外観上好適なフックを設けることができる。また基体の上方に配置される照明器具に上記の吊下式のラックを設けたことにより、ほぼ全ての荷重をフックによって支持することができるため、金属製の基体に荷重支持のための固定点を要することなく、基体の前面側にラックを配置することができる。したがって金属製の基体にゆがみを生じることなく、基体の外観を損ねることなく収納力を増大させることができる。
【００１０】
また延伸部は平板状であって、照明器具の基体と、照明器具の前面に取り付けられた照明カバーとの間に挿通されている。すなわちフックは、基体または照明カバーのいずれにもその外表面に特段の穴を設けることなく、照明器具の基体にフックを取り付けた後に、照明カバーを取り付けることができる。したがって組み立てが簡単であり、使用者が容易に着脱することが可能である。また基体または照明カバーのいずれにも穴等がないことから、フックを取り付けない状態においても空洞などが露呈することがなく、欠落感を与えないために好適である。
【００１３】
収納トレイは重力を利用して枠体に着脱自在に掛止されることにより取り付けられていてもよい。これにより収納物を確実に保持しうると共に、取り外して清掃することが容易となる。
【００１４】
枠体に取り付けられ枠体と収納トレイとの間に介在する緩衝部材を備えていてもよい。これにより収納トレイのがたつきを防止し、剛性感から来る高級感を与えることができる。
【発明の効果】
【００１７】
以上説明したように本発明のミラーキャビネットによれば、剛性、耐薬品性および清掃性を有する金属を利用しつつ、金属の基体にゆがみを生じることのないフック、ラック、およびミラーキャビネットを提供することができる。
【発明を実施するための最良の形態】
【００１８】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１９】
（実施形態）
本発明にかかるフック、ラック、およびミラーキャビネットの実施形態について説明する。本実施形態においてミラーキャビネットは、一面鏡の構成である。図１はミラーキャビネットを備えた洗面化粧台の部分分解図、図２はミラーキャビネットを備えた洗面化粧台の外観斜視図である。
【００２０】
図１および図２に示すように、洗面化粧台１００は、洗面カウンター１１０と、ミラーキャビネット２００とから構成されている。洗面カウンター１１０は、湯水を供給する水栓１１２と、排水口１１４ａを備えた洗面ボール１１４とを備えている。また洗面ボールの下方には収納棚１１６が設けられている。
【００２１】
ミラーキャビネット２００は、鏡２１０と、鏡２１０の両側に配される金属製の第一基体２２０および第二基体２２２と、本実施形態における照明器具の例としての上キャップ２４０と、下キャップ２５０と、を備えている。また第一基体２２０および第二基体２２２の後方（内部）には、ランプの例としての照明部２４２、ヒーターユニット（不図示）、およびスイッチ２２０ａ、２２２ａに対する配線がなされている。
【００２２】
第一基体２２０および第二基体２２２の材質としてはステンレス鋼を用いている。これにより、特に耐薬品性、耐候性、剛性および強度を向上させることができる。またステンレス鋼は組織が緻密であることから研磨することにより美観に優れている。さらに社会通念上、使用者はステンレス鋼に対して剛性感および硬質感、耐久性などに優れていると感じることが期待できるため、高級感を使用者に与えることができる。
【００２３】
本実施形態において、第一基体２２０および第二基体２２２の材質としては、ステンレス鋼を用いているが、これに限定されず、アルミニウム、鉄鋼などを選択することもできる。鉄鋼材料を選択する場合は、防錆のために、また手垢などの汚れの付着を防止するために、塗装またはめっき処理などの表面処理をすることが好ましい。
【００２４】
本実施形態における照明器具の例としての上キャップ２４０は、第一基体２２０から第二基体２２２にわたってその上方に設置されている。
【００２５】
上キャップ２４０は鏡２１０の前面の上縁を係合し固定する略鉛直下方向のリブ２４０ａを有し、鏡２１０の上縁の全幅に亘って係合し、これを支持する構成となっている。これにより鏡を確実に支持すると共に外観を簡潔にし、かつ鏡の露出面積を最大限に取ることができる。
【００２６】
また上キャップ２４０は中央に照明部２４２を有する。上キャップ２４０に照明部２４２を有することにより、部材数を削減することができ、部品コストの低減および施工性の向上を図ることができる。照明部２４２には照明カバー２４４が取り付けられ、照明部２４２にホコリ等が侵入するのを防いでいる。また本実施形態ではリブ２４０ａと鏡２１０の間に防水シートを備え、水の浸入を防いでいる。
【００２７】
なお本実施形態においては上キャップ２４０は照明部２４２を一体に備えた照明器具であるが、照明部は別体とし、リブ２４０ａのみを備えたキャップとしてもよい。
【００２８】
上キャップ２４０は、ＨＩＰＳ（High Impact Poly Styrene）で形成されている。したがって、簡単かつ安価に形成することができる。
【００２９】
下キャップ２５０は、第一基体２２０および第二基体２２２の下方に設置されている。下キャップ２５０は鏡２１０の前面の下縁を係合し固定する略鉛直上方向のリブ２５０ａを有し、鏡２１０の下縁の全幅に亘って係合し、これを支持する構成となっている。これにより上キャップ２４０と同様に、鏡を確実に支持すると共に外観を簡潔にし、かつ鏡の露出面積を最大限に取ることができる。また下キャップ２５０は、前方に突出する棚部２５２を有する。棚部２５２を有することより、部材数を削減することができ、部品コストの低減および施工性の向上を図ることができる。また、鏡２１０の直下に棚部２５２を有することとなり使い勝手が向上する。また本実施形態ではリブ２５０ａと鏡２１０の間に防水シートを備え、水の浸入を防いでいる。
【００３０】
下キャップ２５０は、アルミニウム合金で形成されている。これにより、合成樹脂の場合に比して強度、耐薬品性、および清掃性を向上し、また金属の素材感に基づく剛性感および硬質感から高級感を得ることができる。また第一基体２２０および第二基体２２２との一体感がうまれ美観を向上させることが可能となる。
【００３１】
なお本実施形態においては下キャップ２５０は棚部２５２を一体に備えているが、リブ２５０ａのみを備えたキャップとしてもよい。棚部を有さない場合には、下キャップにさほどの強度は必要でなくなるため、ＨＩＰＳなどの合成樹脂材料を用いることができる。またこの場合において棚部は別体として設けてもよいし、洗面カウンター１１０のバックガード（水栓後方の上端面）を棚として利用してもよい。
【００３２】
さらに本実施形態においては、上キャップ２４０にフック３１０を設け、このフックに吊下した枠体３２０に収納トレイ３３０を取り付けることにより、ラック３００を構成している。図３はフックを説明する図、図４は照明カバーの取り付けを説明する図、図５はラックの構成を説明する図である。
【００３３】
図３に示すように、フック３１０は、取付部３１２と、延伸部３１４と、鉤部３１６とから構成されている。取付部３１２はネジ３１２ａを挿通するためのネジ穴が設けられており、照明器具としての上キャップ２４０の基体のうち、ランプが配置される側の内面に取り付けられる。基体の内面２４０ｃには、ネジ３１２ａを螺入するための下穴２４０ｄが設けられている。延伸部３１４は取付部３１２に一体的に連結されており、上キャップ２４０の基体の外部まで延伸されている。鉤部３１６は延伸部３１４の先端に一体的に連結しており、上キャップ２４０の外部に露出している。
【００３４】
取付部３１２、延伸部３１４、鉤部３１６は平板状の金具で構成されている。取付部３１２は基体の内面２４０ｃのうち背面（垂直面）に取り付けられている。延伸部３１４は取付部３１２に対してほぼ直角に屈曲され、基体の内面２４０ｃのうち底面（水平面）に沿って配置されている。鉤部３１６は先端を折り返すように屈曲させることで枠体３２０を吊下する鉤形状を形成し、かつ延伸部３１４に対してほぼ直角に屈曲することで下方に垂下した状態となっている。
【００３５】
図４に示すように、フック３１０を取り付ける際には、ネジ３１２ａによって取付部３１２を固定した後に、照明カバー２４４を取り付けることができる。照明カバー２４４には上キャップ２４０の基体に係合させるためのスナップフィット２４４ａが設けられているが、スナップフィット２４４ａは照明カバー２４４の全幅に対して中央部にあり、フック３１０の取り付け位置には到らない範囲に設けられている。したがってフック３１０を取り付けても照明カバー２４４を取り付ける際の障害にはならず、照明カバー２４４に格別の穴や切込を設けることなく、延伸部３１４が上キャップ２４０の基体と照明カバー２４４との間（隙間）に挿通される。
【００３６】
上記構成によれば、フック３１０の取付部３１２は外部に露出せず、鉤部３１６のみを外部に露出させることができる。したがって後付けのフックであるにもかかわらず、極めて目立たず、外観上好適なフック３１０を設けることができる。
【００３７】
またフック３１０は、上キャップ２４０の基体または照明カバー２４４のいずれにもその外表面に特段の穴を設けることなく、上キャップ２４０の基体にフック３１０を取り付けた後に、照明カバー２４４を取り付けることができる。したがって組み立てが簡単であり、洗面化粧台１００を設置した後に使用者が容易に着脱することが可能である。また上キャップ２４０の基体または照明カバー２４４のいずれにも穴等がないことから、フック３１０を取り付けない状態においても空洞などが露呈することがなく、欠落感を与えないために好適である。
【００３８】
図５に示すように、枠体３２０は線材からなり、フック３１０に吊下されている。枠体３２０は例えばステンレス材を用いて形成することができ、各収納トレイ３３０を支持する複数のフレーム部３２４と、各フレーム部３２４を支持する支柱部３２２とから構成されている。フレーム部３２４は矩形を成しており、横方向に配置され、収納トレイ３３０を挿入可能な形状と大きさに形成されている。支柱部３２２は矩形を成しており、縦方向に配置され、各フレーム部３２４を溶接により固定されている。支柱部３２２の上辺は、フック３１０の鉤部３１６に吊下される。ここで、鉤部３１６が平板状の金具で構成されていることから、枠体３２０は左右方向に揺らぐことなく安定して支持される。
【００３９】
収納トレイ３３０は、天面が開放された箱形状である。収納トレイ３３０の上縁の対向する２辺には掛止部３３２が張り出して設けられており、収納トレイ３３０をフレーム部３２４に挿入することにより、重力を利用して枠体３２０のフレーム部３２４に着脱自在に掛止されて支持される。
【００４０】
また枠体３２０には、フック３１０と当接する部位、収納トレイ３３０と当接する部位、および第二基体２２２と当接する部位に、緩衝部材３２６を備えている。緩衝部材３２６は、軸方向に切れ目を有する円筒状であって、シリコン材を用いて構成している。緩衝部材３２６は、その弾性によって切れ目を開き、枠体３２０の線材に冠着することによって取り付けられる。シリコン材は柔軟性を有するため、当接する部材のがたつきを防止することができる。
【００４１】
上記構成によれば、ラック３００のほぼ全ての荷重をフック３１０によって支持することができるため、他に荷重支持のための固定点を要しない。したがって構造が簡略となり、かつ外観上も簡潔で好適なラックとすることができる。またラック３００の背面側にある金属製の第二基体２２２に固定点を要することなく、第二基体２２２の前面側にラック３００を配置することができる。したがって金属製の基体にゆがみを生じることなく、基体の外観を損ねることなく収納力を増大させることができる。
【００４２】
また収納トレイ３３０が着脱自在に掛止されていることにより、収納物を確実に保持しうると共に、取り外して清掃することが容易となる。
【００４３】
また枠体３２０の他の部材との当接部位に緩衝部材３２６を介在させることにより、収納トレイ３３０等のがたつきを防止し、剛性感から来る高級感を与えることができる。
【００４４】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４５】
例えば、上記実施形態においてラック３００は第二基体２２２の前面側に配置するよう説明した。しかし当然に第一基体２２０の前面側に配置してもよく、さらには鏡２１０の両側に二つ配置してもよい。
【００４６】
また上記実施形態においては上キャップ２４０の照明部２４２がミラーキャビネット２００の前面側を向くように例示しているが、照明部２４２および照明カバー２４４が下方を向いている場合であっても、フック３１０の屈曲形状を適宜変更することにより、本発明を適用可能である。
【産業上の利用可能性】
【００４７】
本発明は、洗面カウンターと共に設置されるミラーキャビネットに適したフック、ラック、およびこれらを備えたミラーキャビネットとして利用することができる。
【図面の簡単な説明】
【００４８】
【図１】ミラーキャビネットを備えた洗面化粧台の部分分解図である。
【図２】ミラーキャビネットを備えた洗面化粧台の外観斜視図である。
【図３】フックを説明する図である。
【図４】照明カバーの取り付けを説明する図である。
【図５】ラックの構成を説明する図である。
【符号の説明】
【００４９】
１００…洗面化粧台、１１０…洗面カウンター、１１２…水栓、１１４…洗面ボール、１１４ａ…排水口、１１６…収納棚、２００…ミラーキャビネット、２１０…鏡、２２０…第一基体、２２０ａ、２２２ａ…スイッチ、２２２…第二基体、２４０…上キャップ、２４０ａ…リブ、２４０ｃ…基体の内面、２４０ｄ…下穴、２４２…照明部、２４４…照明カバー、２４４ａ…スナップフィット、２５０…下キャップ、２５０ａ…リブ、２５２…棚部、３００…ラック、３１０…フック、３１２…取付部、３１２ａ…ネジ、３１４…延伸部、３１６…鉤部、３２０…枠体、３２２…支柱部、３２４…フレーム部、３２６…緩衝部材、３３０…収納トレイ、３３２…掛止部
【図１】
0005132291.tif 000002
【図２】
0005132291.tif 000003
【図３】
0005132291.tif 000004
【図４】
0005132291.tif 000005
【図５】
0005132291.tif 000006